(57)【要約】容器−密閉器構造が、底部（１３）及び外周壁（１５）を有する容器（１０）を備える。リム（１６）が、壁の上縁部を形成して、容器開口を取り囲んでいる。外側ビード（１７）が、リムと一体成形され、内側ビード（２０）が、リムと一体成形されて容器の内方に突出している。密閉器（１１）は、中央領域（１４）を有して容器開口の上を覆うようになっている密閉部分を有する。スカート（３０）が、密閉部分と一体成形されて、密閉器を容器に取り付けたとき、リムを取り囲む。スカートは、リムを取り囲むための第１部分（３２）、及び第１部分に脆弱に接続されるとともに第１部分から下方に延出し、それにより、リムを取り囲むようにしたバンドが設けられている第２部分（３４）を有する。第２部分は、その内部に位置するとともにそれと一体成形されている第１レッジ（４０）を有し、第１レッジは、外側ビード（１７）と噛み合い係合する位置にある。第２レッジ（４２、４２’）が、密閉部分と一体成形され、且つ内側ビード（２０）と噛み合い係合する位置にある。第２部分を第１部分から切り離すことができ、それにより、第２部分を密閉器から取り除き、且つ第２部分の外側ビードとの噛み合い係合を解除することができる。容器はまた、リムの下方で容器壁から外方へ延出する一体形容器フランジ（２４）を備えてもよい。追加のシール突出部及びリセスを設けてもよい。中央領域は、内部段差部分上に支持される積み重ねスカートを備えてもよい。
2006525919.tif 000002
【特許請求の範囲】
【請求項１】
容器−密閉器構造であって、
（ｉ）底部及び外周壁を有する容器であって、リムが、前記壁の上縁部を形成するとともに該容器の開口を取り囲んでおり、外側ビードが、前記リムと一体成形されるとともに前記リムを取り囲んでおり、内側ビードが、前記リムを取り囲むようにしてそれと一体成形されて、該容器の内方に突出している、容器と、
（ｉｉ）該容器の前記開口の上に覆われるようになっている密閉部分を有する密閉器であって、スカートが、前記密閉部分と一体成形されるとともに、該密閉器を前記容器に取り付けたときに前記リムを取り囲むように配置されており、前記スカートは、前記リムの外側上端部に隣接してそれを取り囲むように位置決め可能な第１部分、及び該第１部分に脆弱に接続されるとともにそれから下方に延出し、前記リムの前記上端部の下方で、前記リムを取り囲むようになっているバンドが設けられている第２部分を有し、該第２部分は、その内部にあってそれと一体成形されている第１レッジを有し、該第１レッジは、前記外側ビードと噛み合い係合する位置にあるように位置決め可能であり、第２レッジが、前記密閉部分と一体成形され、且つ前記内側ビードと噛み合い係合する位置にあるように位置決め可能である、密閉器と、
を備え、
前記密閉器を前記容器に取り付けたときに前記第２部分を前記第１部分から切り離すことができ、それにより、前記第２部分を前記密閉器から取り除き、且つ前記第２部分の前記外側ビードとの噛み合い係合を解除することができるようになっている、容器−密閉器構造。
【請求項２】
密閉器フランジを前記密閉器の前記スカートと一体成形するとともにそれから外方に延出させることができ、それにより、前記容器からの前記密閉器の取り外しを容易にする、請求項１に記載の容器−密閉器構造。
【請求項３】
前記密閉器フランジを前記第１部分と一体成形するとともにそれから外方に延出させ、それにより、いったん前記第２部分を前記第１部分から切り離した後、前記密閉器フランジを持ち上げて前記リムから離すことにより、前記第２レッジを前記内側ビードから外すことができる、請求項２に記載の容器−密閉器構造。
【請求項４】
前記第２部分は、前記密閉器を前記容器に取り付ける間に前記第１レッジが前記外側ビードを越えて移動した後、前記第１レッジを前記外側ビードと噛み合い係合位置に押し付けることができる厚さを有する、請求項１〜３のいずれか一項に記載の容器−密閉器構造。
【請求項５】
容器フランジが、前記リムの下方で前記容器壁と一体成形されるとともにそれから外方に延出する、請求項１〜４のいずれか一項に記載の容器−密閉器構造。
【請求項６】
前記密閉器を前記容器に取り付けたとき、前記スカートの前記第２部分の遠位端部が、前記容器フランジに隣接するように位置決め可能である、請求項５に記載の容器−密閉器構造。
【請求項７】
前記容器フランジは、前記外側ビードと協働して、前記リムの周囲に延在する外側チャネルを画定し、前記密閉器を前記容器に取り付けるとき、前記第１レッジを該外側チャネル内に収納することができる、請求項５又は６に記載の容器−密閉器構造。
【請求項８】
前記容器フランジは、前記容器から前記スカートよりさらに側方に突出するように形成され、それにより、前記構造の運搬中、前記スカートの保護を行う、請求項５〜７のいずれか一項に記載の容器−密閉器構造。
【請求項９】
前記密閉部分は、前記スカートに一端部で接続するランドを有し、該端部から前記スカートは垂下し、該ランドは、他端部で壁部分に接続し、該壁部分は前記他端部から下方に延びる、請求項１〜８のいずれか一項に記載の容器−密閉器構造。
【請求項１０】
前記スカート、前記ランド及び前記壁部分は協働して、ほぼＵ字形チャネルを画定し、前記密閉器を前記容器リムに取り付けるとき、前記Ｕ字形チャネル内に前記容器リムを収納することができ、前記第１及び第２レッジはそれぞれ、前記スカート及び前記壁部分から前記Ｕ字形チャネル内に突出する、請求項９に記載の容器−密閉器構造。
【請求項１１】
前記第２レッジは、前記ランドから前記Ｕ字形チャネル内に突出し、さらに、内側スカートが、前記ランド又は前記壁部分から突出し、前記内側スカートの遠位端部が、前記容器壁内に画定された内側レッジに係合するように配置される、請求項１０に記載の容器−密閉器構造。
【請求項１２】
前記第１部分と前記隣接した容器リムとの間にシール構造が設けられ、該シール構造は、前記第１部分又は前記リムのいずれか一方に突出部を、前記リム又は前記第１部分のいずれか一方に対応のリセスをそれぞれ有し、該リセスは、前記密閉器を前記容器に取り付けるとき、前記突出部を内部に収容するようになっている、請求項１〜１１のいずれか一項に記載の容器−密閉器構造。
【請求項１３】
前記突出部は、前記リセス内に締りばめ又は滑りばめ状態で収容する、請求項１２に記載の容器−密閉器構造。
【請求項１４】
容器−密閉器構造であって、
（ｉ）底部及び外周壁を有する容器であって、リムが、前記壁の上縁部を形成するとともに該容器の開口を取り囲んでおり、外側ビードが、前記リムと一体成形されるとともに前記リムを取り囲み、且つ該リムの自由端部から間隔を置いた位置にあり、内側ビードが、前記リムを取り囲むようにしてそれと一体成形されて、該容器の内方に突出し、前記内側ビードは、前記リム自由端部の一部分として画定される、容器と、
（ｉｉ）該容器の前記開口の上に覆われるようになっている密閉部分を有する密閉器であって、スカートが、前記密閉部分と一体成形され、且つ該密閉器を前記容器に取り付けたときに前記リムを取り囲むように配置されており、前記スカートは、該スカートの内部にあってそれと一体成形されている第１レッジを有し、該第１レッジは、前記外側ビードと噛み合い係合する位置にあるように位置決め可能であり、第２レッジが、前記密閉部分と一体成形され、且つ前記内側ビードと噛み合い係合する位置にあるように位置決め可能である、密閉器と、
を備える容器−密閉器構造。
【請求項１５】
前記スカートは、請求項１〜１３のいずれか一項で定義されているような第１及び第２部分を有する、請求項１４に記載の容器−密閉器構造。
【請求項１６】
他の点では請求項１〜１３のいずれか一項に定義されている、請求項１４に記載の容器−密閉器構造。
【請求項１７】
容器−密閉器構造であって、
（ｉ）底部及び外周壁を有する容器であって、リムが、該壁の上縁部を形成するとともに該容器の開口を取り囲んでおり、外側ビードが、前記リムと一体成形されるとともに前記リムを取り囲んでおり、容器フランジが、前記リムの下方で前記容器壁と一体成形されるとともにそれを取り囲むようにしてそれから外方に延出している、容器と、
（ｉｉ）該容器の前記開口の上に覆われるようになっている密閉部分を有する密閉器であって、スカートが、前記密閉部分と一体成形され、且つ該密閉器を前記容器に取り付けたときに前記リムを取り囲むように配置されており、前記スカートは、前記リムの外側上端部に隣接してそれを取り囲むように位置決め可能な第１部分、及び該第１部分に脆弱に接続されるとともにそれから下方に延出し、前記リムの前記上端部の下方で、前記リムを取り囲むようになっているバンドが設けられている第２部分を有し、該第２部分は、その内部にあってそれと一体成形されている第１レッジを有し、該第１レッジは、前記外側ビードと噛み合い係合する位置にあるように位置決め可能である、密閉器と、
を備え、
前記密閉器を前記容器に取り付けたとき、前記第２部分の遠位端部が、前記容器フランジに対して密接して向き合う関係に位置決めされるようになっている、容器−密閉器構造。
【請求項１８】
前記容器フランジは、請求項１〜１３のいずれか一項で定義されているような容器フランジである、請求項１７に記載の容器−密閉器構造。
【請求項１９】
請求項１〜１３のいずれか一項に定義されているように、前記容器は、前記リムを取り囲むようにしてそれと一体成形されて、前記容器の内方に突出する内側ビードを有し、前記密閉部分は、該密閉部分と一体成形されるとともに前記内側ビードと噛み合い係合する位置にあるように位置決め可能である第２レッジを有する、請求項１７に記載の容器−密閉器構造。
【請求項２０】
請求項１〜１３のいずれか一項に定義されているようにして、前記第２部分は前記第１部分から切り離し可能であり、それにより、前記第２部分を前記密閉器から取り除き、且つ前記第２部分の前記外側ビードとの噛み合い係合を解除することができるようになっている、請求項１７に記載の容器−密閉器構造。
【請求項２１】
他の点では請求項１〜１３のいずれか一項に定義されている、請求項１７に記載の容器−密閉器構造。
【発明の詳細な説明】
【技術分野】
【０００１】
改良型の容器−密閉器構造、たとえば、少なくとも密閉器（たとえば蓋）がプラスチックから成形されるようにした構造が開示されている。
【背景技術】
【０００２】
バケツ等のプラスチック及び金属容器が、塗料、溶剤、油、粉末等を含めた化学製品を保持するために使用される。容器をうっかり落としてしまったために、、及び／又は取り扱い中及び運搬中等に積み荷の移動のために、密閉器が容器から外れることがないようにすることが望ましい。同時に、容器内容物の出し入れが必要なとき、密閉器が容易に取り外し可能であることが望ましい。
【発明の開示】
【０００３】
［概要］
第１容器−密閉器構造であって、
（ｉ）底部及び外周壁を有する容器であって、リムが、壁の上縁部を形成するとともに容器の開口を取り囲んでおり、外側ビードが、リムと一体成形されるとともにリムを取り囲んでおり、内側ビードが、リムを取り囲むようにしてそれと一体成形されて、容器の内方に突出している、容器と、
（ｉｉ）容器の開口の上に覆われる(overlie)ようになっている密閉部分を有する密閉器であって、スカートが、密閉部分と一体成形されるとともに、密閉器を容器に取り付けたときにリムを取り囲むように配置されており、スカートは、リムの外側上端部に隣接してそれを取り囲むように位置決め可能な第１部分、及び第１部分に脆弱に接続されるとともにそれから下方に延出し、それにより、リムの上端部の下方を取り囲むようになっているバンドが設けられている第２部分を有し、第２部分は、その内部にあってそれと一体成形されている第１レッジを有し、第１レッジは、外側ビードと噛み合い係合する位置にあるように位置決め可能であり、第２レッジが、密閉部分と一体成形され、且つ内側ビードと噛み合い係合する位置にあるように位置決め可能である、密閉器と、
を備え、
密閉器を容器に取り付けたときに第２部分を第１部分から切り離すことができ、それにより、第２部分を密閉器から取り除き、且つ第２部分の外側ビードとの噛み合い係合を解除することができるようになっている、第１容器−密閉器構造が提供される。
【０００４】
第１レッジと外側ビードとの噛み合い係合により、容器に対する密閉器の「主ロック」を行うことができ、第２レッジと内側ビードとの噛み合い係合により、容器に対する密閉器の「補助ロック」を行うことができる。
【０００５】
このため、第２部分の切り離しによってこの主ロックが解除されて、密閉器を容器から取り除くことができる。
【０００６】
これに関して、いったん主ロックが切り離されると、密閉器を容器から取り除くには、補助ロックを外すだけでよい。言い換えると、いったん第２部分が第１部分から切り離されると、第２レッジを内側ビードから外すことができ、それにより、密閉器を容器から取り外すことができる。その後、密閉器を容器に取り付け直すとき、補助ロックを（第２レッジ及び内側ビードによって）再び係合させ、それにより、密閉器を容器に安全確実に取り付け直すことができる。
【０００７】
このため、第２部分は切り取りバンド又はストリップとして機能することができ、このバンド又はストリップは、容器への密閉器の取り付け部がいたずらを受けたことを表示することができる。別法として、第１及び第２部分間の脆弱な接続を（ナイフ及び刃物等で容易に切ることができる）切り取り線として画定することができ、やはり切り取り線に対するいたずらを検出することができる。
【０００８】
加えて、運搬及び保管等のために、主ロック及び補助ロックを設けることにより、容器への密閉器のより安全確実な取り付けが容易になり、そのため、密閉器を最初に容器に取り付けるとき、密閉器はリムの各側で容器に固定される。
【０００９】
一実施形態では、密閉器フランジを、密閉器のスカートと一体成形するとともにそれから外方に延出させることができ、それにより、容器からの密閉器の取り外しが容易になる。この実施形態では、密閉器フランジを第１部分と一体成形して、それから外方に延出させることができる。このため、いったん第２部分を第１部分から切り離した後、密閉器フランジを持ち上げることにより、第２レッジを内側ビードから外すことができる。これにより、第１部分が外向きにたわんでリムから離れることができ、且つ第２レッジを内側ビードを越えて移動させることができる。
【００１０】
別の実施形態では、第２部分は、密閉器を容器に取り付ける間に第１レッジが外側ビードを越えて移動した後、第１レッジを外側ビードと噛み合い係合位置に押し付けることができる厚さを有することができる。これに関して、第１レッジは、外側ビードの下側及び／又は背後に位置することができる。
【００１１】
さらなる実施形態において、容器フランジは、リムの下方で容器壁と一体成形されるとともにそれから外方に延出することができる。これに関して、密閉器を容器に取り付けたとき、スカートの第２部分の遠位端部が、容器フランジに隣接するように位置決め可能であり得る。第２部分の遠位端部を容器フランジに隣接して配置することは、本構造のいたずら防止を助けることができる。容器フランジは、容器を補強するように機能することもできる。
【００１２】
容器フランジは、外側ビードと協働して、リムの周囲に延在する外側チャネルを画定し、密閉器を容器に取り付けるとき、第１レッジを外側チャネル内に収納することができる。加えて、容器フランジは、容器からスカートよりさらに側方に突出するように形成され、それにより、構造の運搬中、スカートの保護を行う。
【００１３】
さらに別の実施形態において、密閉部分は、スカートに一端部で接続するランド(land)を有し、端部からスカートは垂下し、ランドは、他端部で壁部分に接続し、壁部分はこの他端部から下方に延びる。スカート、ランド及び壁部分は協働して、ほぼＵ字形チャネルを画定し、密閉器を容器リムに取り付けるとき、Ｕ字形チャネル内に容器リムを収納することができる。第１及び第２レッジはそれぞれ、スカート及び壁部分からＵ字形チャネル内に突出する。
【００１４】
さらなる実施形態において、第２レッジは、ランドからＵ字形チャネル内に突出することができ、加えて、内側スカートは、ランド又は壁部分から突出することができ、内側スカートの遠位端部が、容器壁内に画定された内側レッジに係合するように配置される。内側スカートは、容器の積み重ねに対する支持を行うことができる。たとえば、積載状態の第２容器を組み付けられた第１容器−密閉器構造の上部に積み重ねるとき、内側スカートが第２容器の質量を第１密閉器から第１容器壁に伝達することができる。
【００１５】
さらなる実施形態において、第１部分と隣接した容器リムとの間にシール構造が設けられる。シール構造は、第１部分又はリムのいずれか一方に突出部を、リム又は第１部分のいずれか一方に対応のリセスをそれぞれ有することができ、リセスは、密閉器を容器に取り付けるとき、突出部を内部に収容するようになっている。突出部は、リセス内に締りばめ又は滑りばめ状態(close or snug fit)で収容され、それにより、密閉器及び容器間のシールを最大にする。
【００１６】
第２容器−密閉器構造であって、
（ｉ）底部及び外周壁を有する容器であって、リムが、壁の上縁部を形成するとともに容器の開口を取り囲んでおり、外側ビードが、リムと一体成形されるとともにリムを取り囲み、且つリムの自由端部から間隔を置いた位置にあり、内側ビードが、リムを取り囲むようにしてそれと一体成形されて、容器の内方に突出し、内側ビードは、リム自由端部の一部分として画定される、容器と、
（ｉｉ）容器の開口の上に覆われるようになっている密閉部分を有する密閉器であって、スカートが、密閉部分と一体成形され、且つ密閉器を容器に取り付けたときにリムを取り囲むように配置されており、スカートは、このスカートの内部にあってそれと一体成形されている第１レッジを有し、第１レッジは、外側ビードと噛み合い係合する位置にあるように位置決め可能であり、第２レッジが、密閉部分と一体成形され、且つ内側ビードと噛み合い係合する位置にあるように位置決め可能である、密閉器と、
を備える第２容器−密閉器構造も提供される。
【００１７】
リムの自由端部から間隔を置くように外側ビードを位置させ、また内側ビードをリムの自由端部の一部分として画定することにより、いったん第１レッジが外側ビードからはずれると、この構造は第２レッジを内側ビードから外しやすくする。
【００１８】
第２構造の一実施形態において、スカートは、（たとえば、第２部分が、第１部分に脆弱に接続されるとともにそれから下方に延出し、それにより、リムの上端部の下方を取り囲むようにしたバンドを有する）第１構造で定義されているような第１及び第２部分を有する。
【００１９】
すべての他の点において、第２構造は、第１構造で定義されているようにすることができる。
【００２０】
第３容器−密閉器構造であって、
（ｉ）底部及び外周壁を有する容器であって、リムが、壁の上縁部を形成するとともに容器の開口を取り囲んでおり、外側ビードが、リムと一体成形されるとともにリムを取り囲んでおり、容器フランジが、リムの下方で、容器壁と一体成形されるとともにそれを取り囲むようにしてそれから外方に延出している、容器と、
（ｉｉ）容器の開口の上に覆われるようになっている密閉部分を有する密閉器であって、スカートが、密閉部分と一体成形され、且つ密閉器を容器に取り付けたときにリムを取り囲むように配置されており、スカートは、リムの外側上端部に隣接してそれを取り囲むように位置決め可能な第１部分、及び第１部分に脆弱に接続されるとともにそれから下方に延出し、それにより、リムの上端部の下方で、前記リムを取り囲むようになっているバンドが設けられている第２部分を有し、第２部分は、その内部にあってそれと一体成形されている第１レッジを有し、第１レッジは、外側ビードと噛み合い係合する位置にあるように位置決め可能である、密閉器と、
を備え、
密閉器を容器に取り付けたとき、第２部分の遠位端部が、容器フランジに対して密接して向き合う関係に位置決めされるようになっている、第３容器−密閉器構造も提供される。
【００２１】
密閉器を容器に取り付けるとき、第２部分の遠位端部が容器フランジに対して密接して向き合う関係になるように構成することにより、追加的ないたずら防止機構を設けることができる。たとえば、密閉器を容器から取り外そうとするためには、器具（たとえば、刃物）を第２部分の遠位端部と容器フランジとの間に挿入する必要があり、その場合、これは（たとえば、第２部分又はフランジのいずれか一方、又は両方の変形として）検出されるであろう。
【００２２】
「密接して向き合う関係」という用語は、第２部分の遠位端部が容器フランジに当接することを含むものとする。
【００２３】
第３構造において、容器フランジは、第１構造の容器フランジの特徴を有し、それによって定義されてもよい。
【００２４】
第３構造において、第１構造において定義されているように、容器は、リムを取り囲むようにしてそれと一体成形されて、容器の内方に突出する内側ビードを有することができ、密閉部分は、この密閉部分と一体成形され、且つ内側ビードと噛み合い係合する位置にあるように位置決め可能である第２レッジを有することができる。
【００２５】
加えて、第３構造において、第１構造において定義されているように、第２部分は第１部分から切り離し可能であり、それにより、第２部分を密閉器から取り除き、且つ外側ビードとの噛み合い係合を解除することができる。
【００２６】
すべての他の点において、第３構造は、第１構造で定義されているようにすることができる。
【発明を実施するための最良の形態】
【００２７】
概要のセクションに略述した特徴の一部又はすべてを組み込むことができる他の実施形態もあるが、添付の図面を参照しながら、多くの特定の容器−密閉器実施形態を、単なる例示として以下に説明する。
【００２８】
［特定の実施形態の詳細な説明］
次に、図１〜図３を参照しながら、容器−密閉器構造の２つの実施形態（図２及び図３）を説明する。類似又は同様の部品を指し示すために、同様な参照符号を使用している。なお、各構造は包括的には、バケツ１０の形の容器と、蓋１１の形をした密閉器とを備える。構造としては図示のように円形のバケツ及び蓋に用いられるが、これらの構造は、正方形又は矩形のバケツ及び蓋等にも等しく適用可能である。
【００２９】
バケツ及び蓋は、ポリプロピレン又は高密度ポリエチレンから成形されることができる。バケツは、任意の所望の寸法に成形されることができ、且つ、たとえば０．５〜１０リットル程度の容積を有することができる。バケツはまた、金属材料から形成されてもよい。加えて、蓋−バケツ構造は、直線的な側部（図２）を有する容器及び傾斜壁（図３）を有する容器の両方に適する。
【００３０】
バケツ１０は、蓋の密閉部分に載置されることができるような寸法である底部１３を有する。これに関して、密閉部分は、ほぼ平坦な中央領域１４を有し、それにより、上に重なるバケツの底部を領域１４の上に載せることができ、その結果、多数のバケツ−蓋構造を順次積み上げることができる。バケツは外周壁１５を有し、リム１６が壁１５の上縁部を形成するとともにバケツの開口を取り囲んでいる。
【００３１】
外方に突出するビード１７が、リム１６と一体成形されるとともにそれを取り囲んでおり、且つリムの自由上端部１６Ａから間隔を置いた位置にある。ビード１７は、外周壁１５の外面１９から延出する下面１８を有する。
【００３２】
内方に突出するビード２０が、リム１６と一体成形されるとともにその周りから内方に延出しており、ビード２０は、リムの自由上端部１６Ａの一部分として画定される。ビード２０は、外周壁１５の内面２２から延出する下面２１を有する。
【００３３】
図示のようなビードの間隔、及びビード２０をリムの自由上端部１６Ａに組み込むことにより、（後述するように）蓋１１を容器１０から取り外すことがより容易になる。
【００３４】
環状の容器フランジ２４を、容器の外周壁１５を取り囲むように、それと一体成形することができる。フランジは、ビード１７の高さより下方に位置し、それにより、（後述するように）スカートレッジを収容するための円周溝２５を画定している。フランジには、外周壁１５の外面１９と一体成形されるとともにそれから外向きに延出してそれを取り囲む第１壁部分２６と、第１壁部分２６から下方に延びる第２壁部分２７とが設けられている。壁部分２６は、容器の外周壁１５に対してわずかに傾斜していてもよく、又はそれに対してほぼ直角であってもよい。
【００３５】
フランジ２４は、（後述するように）蓋を容器にいたずら防止式に取り付けることを可能にする。フランジ２４はまた、バケツを強化し、且つ運搬中の側方の衝突及び打撃に対する抵抗力を与える。これに関して、図２及び図３に最もわかりやすく示されているように、フランジ２４は、蓋よりもさらに側方に突出しているので、衝撃及び打撃等を優先的に受け取って吸収し、したがって、使用の際の蓋の安全確実な取り付けに資する。
【００３６】
蓋１１は、スカート３０を有してもよく、スカート３０は蓋を最初にバケツに取り付けるときにリム１６を取り囲む。スカート３０は、第１スカート部分３２及び第２スカート部分３４を有し、第２スカート部分は通常、取り除き可能な切り取りストリップ（tear strip）又はバンドとして画定される。スカートは、蓋の周囲から垂下し且つ外周方向に延在する連続（途切れない）壁として形成してもよい（たとえば、蓋をバケツに永久的にロックする場合、たとえば、構造がオイル缶等に用いられ、別体の注ぎ口を蓋に用いる場合）が、ほとんどの用途では、容易に蓋を開くことができるように、スカートは取り除き可能に構成される。これに関して、自由ストリップ端部３４Ａ（図１）を第２スカート部分３４の一部分として画定することができ、自由ストリップ端部３４Ａが、ストリップの切り取り及び取り除きを行うために手が接触可能な開始点になる。ストリップ端部３４Ａは、より容易に接触できるようにするため、わずかに突出するように成形又は形成されることができる。別法として、切り取りストリップの取り除きを開始しやすくするために、第２スカート部分３４に沿った位置で、スカート部分を薄くする、ギザギザを付ける、又は切れ目を入れることができる。
【００３７】
蓋をバケツに取り付けるのをいたずら防止式に助けるために、蓋を最初にバケツに取り付けたとき、第２スカート部分３４が下方にフランジ２４まで延びて、壁部分２６に対して密接して向き合う関係になるような形状及び寸法にすることができる（図２及び図３を参照）。この密接して向き合う関係（たとえば、当接であってもよい）は、蓋及びバケツ間にいたずら防止領域を与え、蓋及びバケツ間にナイフ又は他の鋭利な道具若しくは刃物を挿入することを防止するのを助けることができる。しかし、そのような試みが行われたとしても、密接して向き合う関係により、変形又は他の破損が確実に発生し、それにより、いたずら行為が視覚的又は触覚的に示される。
【００３８】
第１スカート部分３２は、環状ブリッジウェブ３５、内壁３６及び接続ウェブ３７の形のランドによって中央領域１４に接続されている。ウェブ３５及び壁３６は第１スカート部分３２と協働して、中央領域１４に隣接した位置に逆Ｕ字形チャネルを画定し、蓋をバケツに取り付けるとき、その逆Ｕ字形チャネルにリム１６を収納する。
【００３９】
第２スカート部分３４は、スカート部分３２から垂下するとともに、一体成形されている薄い接続ウェブ３８によりにそれに脆弱に接続される。別法として、ウェブ３８を第１及び第２スカート部分間の切り取り線によって画定し、それをたとえば、ナイフで切り取るか、又は引き裂いて切り離すこと等が可能である。
【００４０】
図２及び図３の両方の実施形態において、第２スカート部分は、図示のように蓋をバケツに最初に取り付けたときにビード１７と噛み合い係合するように、内方突出レッジ(ledge)４０を有する。図２の実施形態において、内壁３６は、図示のように蓋をバケツに取り付けたときにビード２０と噛み合い係合するように、内方突出レッジ４２を有する。図３の実施形態において、ウェブ３５は、図示のように蓋をバケツに取り付けたときにビード２０と噛み合い係合するように、（レッジ４２の代わりの）内方突出リッジ(ridge)４２’を有する。
【００４１】
ビード１７、２０及びレッジ４０、４２間の二重噛み合い係合により、いったん組み合わせれば、蓋がリム１６の各側のビード上にロックし、それからリムがＵ字形チャネル内にロックされることにより、蓋がその周囲に沿って固定されることから、蓋をバケツに安全確実に留め付けることができる。さらに、レッジ４０とビード１７との噛み合い係合は、容器に対する蓋の「主」ロックを行う。「主」という表現は、運搬中及び容器内容物の出し入れ前に蓋をバケツに外側で固定する噛み合いのことを言う。レッジ／リッジ４２、４２’とビード２０との噛み合い係合は、バケツに対する蓋の「補助」ロックと呼ばれ、このロックは、バケツ内容物を出し入れした後に蓋をバケツに再固定することができるようにする。
【００４２】
たとえば、第２スカート部分３４が、ウェブ３８に沿って切り取り可能な取り除き可能なストリップとして設けられるとき、部分３４の取り除きにより、バケツからの蓋の取り外しが容易になる。加えて、ビード２０がリムの自由上端部１６Ａの一部として画定されているので、いったん部分３４を取り除いた後には、蓋のレッジ／リッジ４２、４２’をビード２０から外し、蓋を容器１０から取り外すことが比較的容易になる。これに関して、部分３４を取り除いた後、次に蓋１１を持ち上げると、第１スカート部分が外方にたわむかた又は押し付けられるためにリッジ１６が外方にゆがむことができるので、レッジ／リッジ４２、４２’はビード２０を越えて容易に押し出されることができる。
【００４３】
第１スカート部分３２は、蓋の周囲から外方に延出する突出部４４の形の蓋用フランジも有することができる。突出部４４は、第２スカート部分３４を取り除いた後、蓋をバケツから持ち上げようとする人の指に適合する外形を有する。代わりに、適当な工具でこの持ち上げを容易にしてもよい。いずれの場合も、突出部４４の持ち上げは、第１スカート部分の外方たわみ／押し付けをさらに促進して、リム１６及びビード２０からのレッジ／リッジ４２、４２’の離脱をさらに助けることができる。
【００４４】
図示のように、第２スカート部分３４は、蓋をバケツに取り付ける間、いったんレッジ４０がビード１７を越えて移動した後、レッジをビードの下側（又は背後）に（すなわち、スナップロック式に）押し付けるのに十分な厚さを有する。これに関して、厚さ及び／又はスカート材料は、ビード１７を越える移動中の第２スカート部分の変形を可能にするが、いったん図１〜図３に示された位置にあると、スカート部分が元の寸法に戻る(spring back)ことができるようにする十分な弾性を与えるように選択される。
【００４５】
ビード１７、２０は通常、蓋をバケツに取り付けるとき、第２及び第１スカート部分のそれぞれの内面４６及び４７と、内壁３６の表面４８（図２の実施形態）との間に滑り係合しやすい形状になっている。
【００４６】
これに関して、バケツへの蓋の取り付けを、突出部４４上にリング形工具を配置することによって容易にしてもよい。工具は、突出部４４上に位置して蓋の壁部分３５Ａに当接するような内径を有することができ、壁部分３５Ａは、ウェブ３５から延出するとともにそれを突出部４４に接続する。それから、ユーザ（又は機械）がリング形工具を押して蓋をバケツ上に押し付けることができ、内面４６及び４７がビード１７を越えて摺動し、（図２の実施形態では）表面４６がビード２０を越えて摺動する。
【００４７】
図２及び図３の両方に示されているように、突出部４４及びウェブ３５は、壁部分３５Ａによって接続され、それにより、上に重なるバケツ１０’の底部１３及び壁１５の交差部分から突出した外周フランジ５０を、図示のように収容することができる。この形状により、そのようなバケツを安全に積み重ねることができる。
【００４８】
特に図３を参照すると、蓋積み重ねスカート５２を蓋１１の下側から延出するように設けることができることがわかるであろう。スカートは、（図示のように）環状ブリッジウェブ３５から延出することができるが、内壁３６若しくは接続ウェブ３７から延出してもよい。積み重ねスカート５２の遠位端部５２Ａは、蓋をバケツに取り付けたとき、容器１０の壁１５内に画定された内部段差部分５４で受け取られることができる。このため、１つ又は複数の内容物の入った（たとえば、同様の）容器を蓋１１の上に積み重ねるとき、積み重ねスカート５２が内容物の入った容器（複数可）の質量を受け取って、それを容器壁内の段差部分に伝達し、次にその壁がこの質量をその底部に伝達する。これにより、負荷状態での蓋の内方圧壊を防止することができる。
【００４９】
再び、特に図３を参照すると、蓋及びバケツ間のシール構造を用いることができることもわかるであろう。これに関して、シール構造は、リム１６上に配置された（たとえば、それと一体状になっている）１つ又は複数の不連続的なローブ(lobe)５６又は周方向ビード５６を有することができる。その場合、シール構造はさらに、それぞれ１つ又は複数の対応のリセス５８又は周方向溝５８を有することができる。各リセス又は溝は第１スカート部分３２内に画定され、且つ蓋をバケツに取り付けたときにそれぞれ各ローブ又はビードをその内部に収容するようになっている。別法として、各ローブ又はビードを第１スカート部分３２に配置し、各リセス又は溝をリム１６に配置してもよい。加えて、各リセス又は溝、及び各ローブ又はビードは、互いに係合したとき、締りばめ又は滑りばめが生じるような寸法にすることができる。これによってさらに、シール性を高めることができる。
【００５０】
このように、シール構造は、蓋及びバケツ間のシールを行い、これに関して、たとえばバケツ内容物の密封又は追加的な気密シールを行うために、ガスケットをその位置に設けることができるようにしてもよい。シール構造はさらに、（すなわち、いったん第２スカート部分３４を取り除いた後、）第１スカート部分３２をリム１６に付加的に締め付けることを可能にする。この構造は、必要に応じて、すなわち、いったんスカート部分３４を取り除いた後、たとえば主ロック力を減少させるようにすることができる。
【００５１】
使用について説明すると、容器が充填され、蓋をバケツに取り付けた後、ユーザがバケツ内容物を出し入れする必要があるとき、第２スカート部分３４を（たとえば、切り取りストリップとして）取り除き、それにより、レッジ４０をビード１７から外す。これにより、蓋がその主ロック位置から解放される。次にユーザは、手で、又は適当な工具を使用して、突出部４４に係合してそれをバケツから持ち上げ、それにより、レッジ／リッジ４２、４２’をビード２０から外して、蓋１１をバケツ１０から効率的に後ろに剥ぎ取り（peal back）、バケツ内容物を出し入れすることができる。そのような出し入れの後、レッジ／リッジ４２、４２’がビード２０と噛み合い係合するまで、蓋をバケツ上に押し戻すことにより、蓋を取り付け直すことができ、これにより、バケツ内容物をシールし直して、保管して後で使用できるようにする。
【００５２】
上記実施形態において、蓋は、バケツへの取り付け及びそれからの取り外しを容易にするために、変形可能且つ／又はゆがみ可能な材料から形成される。他方、必要に応じて、バケツを変形可能、又は変形できない材料、たとえばプラスチック、金属等から形成してもよい。
【００５３】
多くの実施形態を記載してきたが、容器−密閉器構造を多くの他の形で具現することができることは、理解されるであろう。
【図面の簡単な説明】
【００５４】
【図１】組み付け状態にある容器−密閉器構造を示す斜視図である。
【図２】組み付け状態にある容器−密閉器構造の一部分を、図１の２，３−２，３線に沿った側部断面図である。
【図３】別の組み付け状態にある容器−密閉器構造の一部分を、図１の２，３−２，３線に沿った側部断面図である。
【図１】
2006525919.tif 000003
【図２】
2006525919.tif 000004
【図３】
2006525919.tif 000005
【手続補正書】
【提出日】平成16年12月23日(2004.12.23)
【手続補正１】
【補正対象書類名】特許請求の範囲
【補正対象項目名】全文
【補正方法】変更
【補正の内容】
【特許請求の範囲】
【請求項１】
容器−密閉器構造であって、
（ｉ）底部及び外周壁を有する容器であって、リムが、前記壁の上縁部を形成するとともに該容器の開口を取り囲んでおり、外側ビードが、前記リムと一体成形されるとともに前記リムを取り囲んでおり、内側ビードが、前記リムを取り囲むようにしてそれと一体成形されて、該容器の内方に突出している、容器と、
（ｉｉ）該容器の前記開口の上に覆われるようになっている密閉部分を有する密閉器であって、スカートが、前記密閉部分と一体成形されるとともに、該密閉器を前記容器に取り付けたときに前記リムを取り囲むように配置されており、前記スカートは、前記リムの外側上端部に隣接してそれを取り囲むように位置決め可能な第１部分、及び該第１部分に脆弱に接続されるとともにそれから下方に延出し、前記リムの前記上端部の下方で、前記リムを取り囲むようになっているバンドが設けられている第２部分を有し、該第２部分は、その内部にあってそれと一体成形されている第１レッジを有し、該第１レッジは、前記外側ビードと噛み合い係合する位置にあるように位置決め可能であり、第２レッジが、前記密閉部分と一体成形され、且つ前記内側ビードと噛み合い係合する位置にあるように位置決め可能である、密閉器と、
を備え、
前記密閉器を前記容器に取り付けたときに前記第２部分を前記第１部分から切り離すことができ、それにより、前記第２部分を前記密閉器から取り除き、且つ前記第２部分の前記外側ビードとの噛み合い係合を解除することができるようになっている、容器−密閉器構造。
【請求項２】
前記密閉器フランジを前記第１スカート部分と一体成形するとともにそれから外方に延出させ、それにより、いったん前記第２スカート部分を前記第１スカート部分から切り離した後、前記密閉器フランジを持ち上げて前記リムから離すことにより、前記第２レッジを前記内側ビードから外すことができる、請求項１に記載の容器−密閉器構造。
【請求項３】
容器フランジが、前記リムの下方で、前記容器壁と一体成形されるとともにそれから外方に延出し、それにより、前記密閉器を前記容器に取り付けたとき、前記第２スカート部分の遠位端部が、前記容器フランジに対して密接して向き合う関係に位置決め可能である、請求項１又は２に記載の容器−密閉器構造。
【請求項４】
前記容器フランジは、前記容器から前記スカートよりさらに側方に突出するように形成され、それにより、前記構造の運搬中、前記スカートの保護を行う、請求項３に記載の容器−密閉器構造。
【請求項５】
前記密閉部分は、前記スカートに一端部で接続するランドを有し、該端部から前記スカートは垂下し、該ランドは、他端部で壁部分に接続し、該壁部分は前記他端部から下方に延び、
前記スカート、前記ランド及び前記壁部分は協働して、ほぼＵ字形チャネルを画定し、前記密閉器を前記容器リムに取り付けるとき、前記Ｕ字形チャネル内に前記容器リムを収納することができ、前記第１及び第２レッジはそれぞれ、前記スカート及び前記壁部分から前記Ｕ字形チャネル内に突出する、請求項１〜４のいずれか一項に記載の容器−密閉器構造。
【請求項６】
前記第２レッジは、前記ランドから前記Ｕ字形チャネル内に突出し、
さらに、内側スカートが、前記ランド又は前記壁部分から突出し、前記内側スカートの遠位端部が、前記容器壁内に画定された内側レッジに係合するように配置される、請求項５に記載の容器−密閉器構造。
【請求項７】
前記第１部分と前記隣接した容器リムとの間にシール構造が設けられ、該シール構造は、前記第１部分又は前記リムのいずれか一方に突出部を、前記リム又は前記第１部分のいずれか一方に対応のリセスをそれぞれ有し、該リセスは、前記密閉器を前記容器に取り付けるとき、前記突出部を内部に締りばめ又は滑りばめ状態で収容するようになっている、請求項１〜６のいずれか一項に記載の容器−密閉器構造。
【請求項８】
容器−密閉器構造であって、
（ｉ）底部及び外周壁を有する容器であって、リムが、前記壁の上縁部を形成するとともに該容器の開口を取り囲んでおり、外側ビードが、前記リムと一体成形されるとともに前記リムを取り囲み、且つ該リムの自由端部から間隔を置いた位置にあり、内側ビードが、前記リムを取り囲むようにしてそれと一体成形されて、該容器の内方に突出し、前記内側ビードは、前記リム自由端部の一部分として画定される、容器と、
（ｉｉ）該容器の前記開口の上に覆われるようになっている密閉部分を有する密閉器であって、スカートが、前記密閉部分と一体成形され、且つ該密閉器を前記容器に取り付けたときに前記リムを取り囲むように配置されており、前記スカートは、該スカートの内部にあってそれと一体成形されている第１レッジを有し、該第１レッジは、前記外側ビードと噛み合い係合する位置にあるように位置決め可能であり、第２レッジが、前記密閉部分と一体成形され、且つ前記内側ビードと噛み合い係合する位置にあるように位置決め可能である、密閉器と、
を備える容器−密閉器構造。
【請求項９】
前記スカートは、請求項１〜７のいずれか一項に定義されているような第１及び第２部分を有し、前記構造は、他の点では請求項１〜７のいずれか一項に定義されている、請求項８に記載の容器−密閉器構造。
【請求項１０】
容器−密閉器構造であって、
（ｉ）底部及び外周壁を有する容器であって、リムが、該壁の上縁部を形成するとともに該容器の開口を取り囲んでおり、外側ビードが、前記リムと一体成形されるとともに前記リムを取り囲んでおり、容器フランジが、前記リムの下方で前記容器壁と一体成形されるとともにそれを取り囲むようにしてそれから外方に延出している、容器と、
（ｉｉ）該容器の前記開口の上に覆われるようになっている密閉部分を有する密閉器であって、スカートが、前記密閉部分と一体成形され、且つ該密閉器を前記容器に取り付けたときに前記リムを取り囲むように配置されており、前記スカートは、前記リムの外側上端部に隣接してそれを取り囲むように位置決め可能な第１部分、及び該第１部分に脆弱に接続されるとともにそれから下方に延出し、前記リムの前記上端部の下方で、前記リムを取り囲むようになっているバンドが設けられている第２部分を有し、該第２部分は、その内部にあってそれと一体成形されている第１レッジを有し、該第１レッジは、前記外側ビードと噛み合い係合する位置にあるように位置決め可能である、密閉器と、
を備え、
前記密閉器を前記容器に取り付けたとき、前記第２部分の遠位端部が、前記容器フランジに対して密接して向き合う関係に位置決めされるようになっている、容器−密閉器構造。
【請求項１１】
前記容器フランジは、請求項３又は４で定義されているような容器フランジであり、
請求項１〜７のいずれか一項に定義されているように、
前記容器は、前記リムを取り囲むようにしてそれと一体成形されて、前記容器の内方に突出する内側ビードを有し、
前記密閉部分は、該密閉部分と一体成形されるとともに前記内側ビードと噛み合い係合する位置にあるように位置決め可能である第２レッジを有し、
前記第２部分は、前記第１部分から切り離し可能であり、それにより、前記第２部分を前記密閉器から取り除き、且つ前記第２部分の前記外側ビードとの噛み合い係合を解除することができるようになっている、請求項１０に記載の容器−密閉器構造。
【国際調査報告】
2006525919.tif 000006
2006525919.tif 000007
2006525919.tif 000008